(57)【要約】【課題】洗浄水供給経路の断面形状を均一化することができ、少ない洗浄水で運転することができる食器洗い機を提供すること。【解決手段】循環経路４は、ポンプ３と固定噴射口１２とを連結する洗浄水供給経路１１を有し、洗浄水供給経路１１に断面略円形状で可撓性を有するホース１１で形成することにより、ポンプ３から固定噴射口１２まで均一な断面略円形状を保つことができ、洗浄水量を低減することとなり、洗浄水供給経路１１の水量を少なくして節水を促進することが出来る。【選択図】図１
2010268983.tif 000002
【特許請求の範囲】
【請求項１】
被洗浄物を収容する洗浄槽と、洗浄槽内の洗浄水を循環するための循環経路と、前記循環経路内に設けられるとともに洗浄水を被洗浄物に噴射するポンプと、前記洗浄槽の内壁面に少なくとも一つ配置した固定噴射口とを備え、前記循環経路は、前記ポンプと前記固定噴射口とを連結する洗浄水供給経路を有し、前記洗浄水供給経路は断面略円形状で可撓性を有するホースで形成されている食器洗い機。
【請求項２】
可撓性を有するホースは、蛇腹状で形成された請求項１に記載の食器洗い機。
【請求項３】
ホースは、耐熱性を有する請求項１又は２に記載の食器洗い機。
【発明の詳細な説明】
【技術分野】
【０００１】
本発明は、洗浄水を食器類に噴射して洗浄する食器洗い機に関するものである。
【背景技術】
【０００２】
従来、この種の食器洗い機は、図３に示すように構成していた（例えば、特許文献１参照）。図３に示すように、食器洗い機本体４１は、洗浄槽４２内に被洗浄物４３を収容し、洗浄槽４２の下方には第１の回転ノズル４４及び第２の回転ノズル４５が配設され、洗浄槽４２の背面には略十字状に形成された固定ノズル４６が配設されている。また、洗浄槽４２内には、被洗浄物４３を収容する下段食器カゴ４７及び上段食器カゴ４８がそれぞれ前後方向に引き出しできるように配設されている。洗浄槽４２内に収容された被洗浄物４３に対して前記第１の回転ノズル４４、第２の回転ノズル４５及び固定ノズル４６から洗浄水を噴射することにより、被洗浄物４３が洗浄される。
【０００３】
洗浄槽４２の底部には、洗浄ポンプ４９の吸い込み側に連通した排水口が設けられ、排水口には残滓を収集する残滓フィルタと、洗浄水を加熱するヒータとが配設されている。残滓フィルタを透過した洗浄水は洗浄ポンプ４９に吸い込まれて加圧され、分水手段５３によって第１及び第２の各回転ノズル４４、４５及び固定ノズル４６に洗浄水の送給が順次切換えられ、第１及び第２の各回転ノズル４４、４５及び固定ノズル４６から洗浄水が噴射される。
【０００４】
上記構成になる食器洗い機について、以下その動作、作用を説明する。扉を開いて被洗浄物４３を収容した下段食器カゴ４７及び上段食器カゴ４８が洗浄槽４２内に収納され、洗剤が投入されて扉により洗浄槽４２が閉じられると運転を開始して、洗浄工程、すすぎ工程、乾燥工程の順に実行する。まず、給水弁が動作して所定量の洗浄水が洗浄槽４２内に給水される。給水された洗浄水はヒータによって加熱され、洗浄ポンプ４９によって加圧されて分水手段５３から第１、第２の各回転ノズル４４、４５及び固定ノズル４６に選択的に洗浄水が送給される。ここでは、分水手段５３は第１の回転ノズル４４、第１の回転ノズル４４及び第２の回転ノズル４５、第２の回転ノズル４５、固定ノズル４６の順に所定時間毎に洗浄水の送給を切換えるように動作する。
【０００５】
第１及び第２の回転ノズル４４、４５は送給された洗浄水が噴射口から噴出する噴流によって回転し、回転移動する洗浄水を噴射して主に下段食器カゴ４７に収容された被洗浄物４３を洗浄する。また、固定ノズル４６は上段食器カゴ４８の下に水平方向に配列された噴射口５６から洗浄水を上段食器カゴ４８方向に噴射して下向きに収容された被洗浄物４３の内面を洗浄すると共に、上部に開口する洗浄水噴射口５５から略水平方向に扇状に噴射される洗浄水により被洗浄物４３の外面を洗浄する。
【先行技術文献】
【特許文献】
【０００６】
【特許文献１】特開２００４−２６７６６１号公報
【発明の概要】
【発明が解決しようとする課題】
【０００７】
しかしながら、前記従来の構成では、固定ノズルは樹脂型で成形された部品を使用しているため、水路を自由に形成することが困難なため、噴射口位置の設計の制約も発生し、固定ノズルから洗浄水を噴射するまで際して、固定ノズル導水路には、曲げ部、捻じれ、断面形状の拡大、減少、絞り部の固定ノズル導水路管路断面形状が不均一なので、固定ノ
ズル導水路の圧力損失が増し、洗浄に必要な洗浄水量を増大させるという課題を有していた。
【０００８】
本発明は、前記従来の課題を解決するもので、ポンプから固定噴射口まで均一な断面略円形状を保つことができ、洗浄水供給経路での曲げ部、捻じれ、拡大、減少、絞りによる圧力損失を低減することができ、運転に必要な洗浄水の使用水量を低減した食器洗い機を提供することを目的とする。
【課題を解決するための手段】
【０００９】
前記従来の課題を解決するために、本発明の食器洗い機は、被洗浄物を収容する洗浄槽と、洗浄槽内の洗浄水を循環するための循環経路と、前記循環経路内に設けられるとともに洗浄水を被洗浄物に噴射するポンプと、前記洗浄槽の内壁面に少なくとも一つ配置した固定噴射口とを備え、前記循環経路は、前記ポンプと前記固定噴射口とを連結する洗浄水供給経路を有し、前記洗浄水供給経路は断面略円形状で可撓性を有するホースで形成されとしたものである。
【００１０】
これによって、洗浄水供給経路にホースで連結することにより、ポンプから固定噴射口まで均一な断面略円形状を保つことができ、洗浄水量を低減することができ、洗浄水供給経路の水量を少なくして節水を促進することが出来る。
【発明の効果】
【００１１】
本発明の食器洗い機は、洗浄水供給経路の洗浄水量を少なくして節水、省電力化を促進することができる。
【図面の簡単な説明】
【００１２】
【図１】同食器洗い機の洗浄水供給経路の正面図
【図２】同食器洗い機の洗浄水供給経路断面形状図
【図３】従来の食器洗い機の正面図
【発明を実施するための形態】
【００１３】
第１の発明は、被洗浄物を収容する洗浄槽と、洗浄槽内の洗浄水を循環するための循環経路と、前記循環経路内に設けられるとともに洗浄水を被洗浄物に噴射するポンプと、前記洗浄槽の内壁面に少なくとも一つ配置した固定噴射口とを備え、前記循環経路は、前記ポンプと前記固定噴射口とを連結する洗浄水供給経路を有し、前記洗浄水供給経路に断面略円形状で可撓性を有するホースで形成する食器洗い機である。したがって、この食器洗い機は、洗浄水供給経路にホースで連結することにより、ポンプから固定噴射口まで均一な断面略円形状を保つことができる。洗浄水供給経路での急な曲げによりホースが拉げることにより、供給経路断面形状の略円形状からの変形、洗浄水供給経路の急な拡大により洗浄水が流速低下することを防止することができる。
【００１４】
第２の発明は、特に第１の発明の可撓性を有するホースが、蛇腹状で形成されたものである。そのために、蛇腹形状の細く折り畳んである襞状部による伸縮性がホースに追加され、よりフレキシブルな可撓性を有するホースがポンプから固定噴射口まで均一な断面略円形状を保つことができ、洗浄水供給経路での急な曲げによる供給経路断面形状の略円形状からの拉げる変形、洗浄水供給経路の急な拡大により洗浄水が流速低下し、洗浄水供給経路が縮小される断面形状には、絞り効果により流速は拡大するが、その分圧力損失が増大し、急激な変化によるエネルギー損失が増大し、洗浄水量を増大させることになるが、ポンプから固定噴射口まで均一な断面略円形状を保つことにより、洗浄水量を低減することができ、洗浄水供給経路の水量を少なくして節水を促進することが出来る。
【００１５】
第３の発明は、特に、第１または第２の発明のホースが耐熱性を有するようにしたものである。
【００１６】
以下、本発明の実施の形態について、図面を参照しながら説明する。なお、この実施の形態によって本発明が限定されるものではない。
【００１７】
（実施の形態１）
図１および図２に示すように、食器洗い機本体１には、扉５で開閉可能な洗浄槽１０を設け、食器等の被洗浄物（図示せず）は洗浄槽１０内の食器カゴ（図示せず）にセットされ、洗浄槽１０内に収容している。給水弁（図示せず）は洗浄槽１０に洗浄水を供給するものであり、ポンプ３は、洗浄水を加圧して、固定噴射口１２などの複数の噴射口に設けた洗浄手段（図示せず）に供給し、洗浄手段より洗浄水９を噴射するものであり、また、回転方向を変えることにより洗浄槽１０内の洗浄水９を排出するものである。
【００１８】
洗浄手段は、食器カゴの下方から噴射する回転ノズル（図示せず）と、洗浄槽１０の背面（側面）側より噴射する固定噴射口１２を有しており、回転ノズル（図示せず）は洗浄水９を噴射する噴射口を複数個備えている。
【００１９】
また、洗浄槽１０の底部には、ポンプ３の吸込み側へ連通した排水口（図示せず）を有し、この排水口（図示せず）には残滓を収集する残滓フィルタ（図示せず）と、洗浄水９を加熱する加熱手段（図示せず）を設けている。さらに、温度センサ（図示せず）が、洗浄槽１０の底面外壁に設けられ、洗浄槽１０の温度を洗浄槽１０内壁を通して間接的に検知する。
【００２０】
送風機（図示せず）は、送風経路（図示せず）を通して洗浄槽３に空気を送り、その排気を排気口（図示せず）より排出するようにしている。
【００２１】
また、ポンプ３の吐出経路には、洗浄水９を供給する洗浄手段を選択的に切換える分水器８を設置している。
【００２２】
また、洗浄槽１０の外側で、かつ、食器洗い機本体１の内側に、洗浄水を循環させるための循環経路４が形成されている。循環経路４は、貯水部と固定噴射口１２などの洗浄手段を接続しており、途中にポンプ３が設けられている。循環経路４は、ポンプ３と固定噴射口１２、制御回路７、分水器８を個々に接続するホース１１（洗浄水供給経路）を有している。ホース１１のポンプ３と固定噴射口１２、制御回路７、分水器８との接続には、接続部品（図示せず）を用いて接続されている。
【００２３】
以上のように構成された食器洗い機について、以下その動作、作用を説明する。
【００２４】
ポンプ３を駆動することにより、洗浄槽１０底部に形成された貯水部（図示せず）に溜まっている洗浄水９が、循環経路４にポンプ３内に吸い込まれる。この洗浄水９は、ポンプ３により、制御回路７、分水器８をホース（洗浄水供給経路）１１と接続部品を通過し、固定噴射口１２から被洗浄物６に向かって噴射される。ホース１１（洗浄水供給経路）は、断面略円形状で可撓性を有する。そのために、循環経路４をホース１１（洗浄水供給経路）で連結することにより、ポンプ３から固定噴射口１２まで均一な断面略円形状を保つことができる。ホース１１（洗浄水供給経路）での急な曲げによりホース１１（洗浄水供給経路）が拉げることや、ホース１１（洗浄水供給経路）断面形状の略円形状からの変形、ホース１１（洗浄水供給経路）の急な拡大により洗浄水が流速低下することを防止することができる。ホース１１（洗浄水供給経路）給経路が縮小される断面形状には、絞り効果により流速は拡大するが、その分圧力損失が増大し、急激な変化によるエネルギー損
失が増大することにより、洗浄水９量を増大させることになるが、循環経路４にホース１１（洗浄水供給経路）を連結し、ポンプ３から固定噴射口１２まで均一な断面略円形状を保つことにより、圧力損失が増大することなく、洗浄水９量を低減することとなり、循環経路４全体の洗浄水９量を少なくして節水を促進することが出来る。
【００２５】
また、被洗浄物６を洗浄する際には、洗浄水９を加熱し、洗浄水９は、高温の洗浄水９として循環経路４にて使用されるが、洗浄に必要な洗浄水９量を低減することにより、洗浄水９の加熱するための加熱時間を短くすることになり、運転時間や消費電力を低減することが出来る。
【００２６】
また、洗浄に必要な洗浄水９量を低減することにより、洗浄水９を送るポンプ３の運転時間、使用出力も低減することが可能なため、ポンプ３サイズの小型化が可能なため、ポンプ３材料コストダウンや食器洗い機１の小型化につながる。
【００２７】
また、ホース３形状は略円形状を保っていればエネルギー損失の低減が可能であり、専用部品で構成される必要がなく、一般的に市販されている略円形状ホースを利用することが可能であり、設計変更時や、商品の形状変更に伴い固定噴射口１２の位置や数量、形状を変更した際もホース１１（洗浄水供給経路）部品形状変更が無く、接続部品に接続することが可能なため、新たな金型費用も発生することなく、安価に構成することができる。
【００２８】
また、ホース１１（洗浄水供給経路）の内径は、炭酸カルシウムによる水スケールを形成し、ホース１１（洗浄水供給経路）詰まりを抑制するため、固定噴射口１２より、大径で構成することにより、ホース１１（洗浄水供給経路）内径に水スケールの生成を抑制をすることができる。
【００２９】
また、接続部品は、専用の部品ではなく、食器を洗浄する洗浄水９が通過するため、好ましくは、除菌されてある、匂いが少ない衛生上を考えた樹脂素材で構成される部品で構成される。なお、本実施の形態では、接続部品の材質は、樹脂としているが、金属などの樹脂以外の材質でも構わない。固定噴射口１２が１つではなく、複数設けられた際には、ホース１１（洗浄水供給経路）は、分水器８を通過時に分岐した接続部品により、複数のホース１１（洗浄水供給経路）と複数の固定噴射口１２を接続される。分岐した接続部品は、専用の部品ではなく、食器を洗浄する洗浄水９が通過するため、好ましくは、除菌されており、匂いが少ない衛生上を考えた樹脂素材で構成される部品で構成される。なお、本実施の形態では、接続部品の材質は、樹脂としているが、金属などの樹脂以外の材質でも構わない。
【００３０】
また、洗浄水９がホース１１（洗浄水供給経路）を通過する際には、洗浄水９により、ホース１１（洗浄水供給経路）が振動するため、洗浄層１０の壁面に樹脂製のクリップ等の小型の挟み道具（図示せず）にホース１１（洗浄水供給経路）を挟み固定することにより、洗浄水９通過時のホース１１（洗浄水供給経路）の振動を低減することが出来る。なお、樹脂製のクリップ等の小型の挟み道具（図示せず）にホース１１（洗浄水供給経路）を挟み固定する際には、ホース１１（洗浄水供給経路）の断面形状については断面略円形状を、崩さないよう適度なクリアランスを保って固定されている。
【００３１】
また、ホース３は、食器を洗浄する洗浄水９が通過するため、好ましくは、除菌、匂いが少ない衛生上を考えた樹脂素材で構成することにより、食器洗い機１の商品性を損なうことがなくなり、食器洗い機１の商品性を向上させることができる。なお、本実施の形態では、ホース１１（洗浄水供給経路）の材質は、樹脂としているが、金属などの樹脂以外の材質でも構わない。
【００３２】
また、ホース１１は、耐熱性を有する蛇腹状で形成されたものである。そのために、蛇腹形状の細く折り畳んである襞状部による伸縮性がホース１１に追加され、よりフレキシブルな可撓性を有するホース１１がポンプから固定噴射口１２まで均一な断面略円形状を保つことができ、ホース１１（洗浄水供給経路）断面形状の略円形状からの変形、ホース１１（洗浄水供給経路）の急な拡大により洗浄水が流速低下することを防止することができる。ホース１１（洗浄水供給経路）給経路が縮小される断面形状には、絞り効果により流速は拡大するが、その分圧力損失が増大し、急激な変化によるエネルギー損失が増大することにより、洗浄水９量を増大させることになるが、循環経路４にホース１１（洗浄水供給経路）を連結し、ポンプ３から固定噴射口１２まで均一な断面略円形状を保つことにより、圧力損失が増大することなく、洗浄水９量を低減することとなり、循環経路４全体の洗浄水９量を少なくして節水を促進することが出来る。
【００３３】
また、洗浄水９がホース１１（洗浄水供給経路）を通過する際には、洗浄水９により、ホース１１（洗浄水供給経路）が振動するため、洗浄層１０の壁面に樹脂製のクリップ等の小型の挟み道具（図示せず）にホース１１（洗浄水供給経路）を挟み固定することにより、洗浄水９通過時のホース１１（洗浄水供給経路）の振動を低減することが出来る。なお、樹脂製のクリップ等の小型の挟み道具（図示せず）にホース１１（洗浄水供給経路）を挟み固定する際には、ホース１１（洗浄水供給経路）の断面形状については断面略円形状を、崩さないよう適度なクリアランスを保って固定されている。
【００３４】
また、ホース１１（洗浄水供給経路）の内径は、炭酸カルシウムによる水スケールを形成し、ホース１１（洗浄水供給経路）詰まりを抑制するため、固定噴射口１２より、大径で構成することにより、ホース１１（洗浄水供給経路）内径に水スケールの生成を抑制することができる。
【００３５】
なお、本実施の形態では、ホース１１（洗浄水供給経路）の材質は、樹脂としているが、金属などの樹脂以外の材質でも構わない。
【００３６】
なお、洗浄水９は、本実施の形態では、水を主成分とした液体ではあるが、被洗浄物を洗浄するのに同等の効果を有するものであれば、水を主成分として液体以外の液体でも構わない。
【産業上の利用可能性】
【００３７】
以上のように、本発明にかかる食器洗い機は、洗浄水供給経路断面形状を均一化にすることができ、少ない洗浄水で運転することが可能となるので、家庭用や業務用、装置の大小を問わず、洗浄水供給経路を有し、洗浄水を用いて被洗浄物を洗浄する洗浄機全般の用途にも適用できる。
【符号の説明】
【００３８】
１  食器洗い機本体
２  給水ホース
３  ポンプ
６  被洗浄物
７  制御回路
８  分水器
９  洗浄水
１０  洗浄槽
１１  ホース（洗浄水供給経路）
１２  固定噴射口
【図１】
2010268983.tif 000003
【図３】
2010268983.tif 000004
【図２】
2010268983.tif 000005